(57)【要約】【課題】強度的に問題がなく、廃棄処分が容易で環境を破壊することのない団扇を提供する。【解決手段】実質的に全ての部分がダンボール紙で形成され、送風本体部２と握り部３とが一体化されてなるダンボール団扇である。送風本体部２は、波状に段をつけた中芯原紙８の表裏二面に、ダンボール原紙９，１０を貼り合せて、その厚さが１．５ｍｍ以内に構成されている。【選択図】          図１
2004321349.tif 000002
【特許請求の範囲】
【請求項１】
実質的に全ての部分がダンボール紙で形成され、送風本体部と握り部とが一体化されてなる団扇であって、
前記送風本体部は、波状に段をつけた中芯原紙の表裏二面に、ダンボール原紙を貼り合せて、その厚さが１．５ｍｍ以内に構成されていることを特徴とするダンボール団扇。
【請求項２】
前記中芯原紙は、段の高さが０．４〜０．７５ｍｍである請求項１に記載のダンボール団扇。
【請求項３】
前記中芯原紙は、３０ｃｍ当りの段数が１２５〜２４０である請求項１又は２に記載のダンボール団扇。
【請求項４】
前記握り部は、波状に段をつけた中芯原紙の表裏二面のダンボール原紙を貼り合せて構成され、段の高さが０．８〜１．２ｍｍで、３０ｃｍ当りの段数が９０〜１００である請求項１〜３の何れかに記載のダンボール団扇。
【請求項５】
前記送風本体部の一部には、前記握り部の形状に対応した突出部が設けられ、この突出部に、前記握り部を折り重ねて一体化させるようにしている請求項１〜４の何れかに記載のダンボール団扇。
【請求項６】
前記送風本体部は、前記中芯原紙の波頭の延設方向が、前記突出部の突出方向と一致するように配置されている請求項５に記載のダンボール団扇。
【請求項７】
前記握り部は、本体部と基端部と漸増部とに区分され、前記漸増部は、前記基端部から前記本体部に向けて幅方向に広がりつつ長さ方向に延設されている請求項１〜６の何れかに記載のダンボール団扇。
【請求項８】
前記漸増部の輪郭線は、滑らかな凹曲線であり、その始点の接線は、前記握り部の長さ方向に対して３０度未満に設定されている請求項７に記載のダンボール団扇。
【発明の詳細な説明】
【０００１】
【発明の属する技術分野】
本発明は、環境を破壊することなく廃棄処分が可能である紙製の団扇に関し、特に、長期間の使用にも耐えるダンボール団扇に関する。
【０００２】
【従来の技術】
冷暖房設備が広く普及したとはいえ、団扇の持っている風情には、まだまだ捨て難い魅力があり、広告用媒体などの用途を中心に広く流通している。ある調査によると、年間使用量が約一億本とも言われている。
【０００３】
このような団扇は、一般に、送風体と把持部とが一体構成されており、送風体を支える骨組みや把持部は、コスト上の観点からプラスチックが広く使用されている。但し、団扇は、暑い時期にしか似合わないものであり、また、無料で入手するのが通例であるため、夏の終わりと共に廃棄されるのが実情である。
【０００４】
【発明が解決しようとする課題】
ところが、一般の団扇はプラスチック製部分を多く含むため、折ったり曲げたりできず、そのためゴミとして廃棄する上で、かさばるという問題点がある。また、廃棄された団扇は、焼却せざるを得ないが、この焼却処分によって環境を破壊するおそれもある。
【０００５】
かかる問題を考慮して紙製の団扇も提案されており（特許文献１）、この発明は、送風体に型押罫線を設けることを趣旨としている。しかしながら、この特許文献１の発明では、製造工程が増えてコストが増加するにも拘わらず強度的に不充分であるという問題がある。また、特許文献１の構成では、特に、把持部の部分が極めて容易に折れてしまうという問題点もある。
【０００６】
【特許文献１】特開平２００２−３４６２５
【０００７】
本発明は、上記の問題点に着目してなされたものであって、強度的に問題がなく、廃棄処分が容易で環境を破壊することのない団扇を提供することを課題とする。
【０００８】
【課題を解決するための手段】
上記課題を解決するために、本発明は、実質的に全ての部分がダンボール紙で形成され、送風本体部と握り部とが一体化されてなる団扇であって、前記送風本体部は、波状に段をつけた中芯原紙の表裏二面に、ダンボール原紙を貼り合せて、その厚さが１．５ｍｍ以内に構成されている。
【０００９】
本発明では、送風本体部は、波状に段をつけた中芯原紙の表裏二面に、ダンボール原紙を貼り合せて構成されているので強度的に充分であり、送風体に型押罫線を設ける必要はない。すなわち、本発明に係る送風本体部には、その強度を増すために特に凹凸を設ける必要はない。
【００１０】
また、本発明に係る送風本体部は、厚さが１．５ｍｍ以内に構成されているので、団扇として適度なしなりを実現することができる。また、ダンボール紙は有価物として取引されるので、不要になった団扇を有効に再利用できる。なお、ダンボール紙は、リサイクル除外品であり、再商品化処理のための委託費用が発生しないという有利もある。
【００１１】
本発明において、「実質的に全ての部分がダンボール紙で形成される」とは、団扇に下げ紐を付属させたり、接着剤や表面着色剤などを使用することまでは禁止しない意味である。但し、下げ紐などを使用する場合にも、それが非金属であること、特に、紙材や繊維材で構成されるのが好適である。
【００１２】
前記ダンボール原紙は、好ましくは、１ｍ２当りの重量が１００〜２００ｇのものが選択され、前記中芯原紙は、好ましくは、１ｍ２当りの重量が８０〜１２５ｇのものが選択される。また、前記中芯原紙は、好ましくは、段の高さが０．４〜０．９ｍｍのものが使用され、更に好ましくは、０．４〜０．７５ｍｍのものが使用される。
【００１３】
また、好ましくは、前記中芯原紙は、３０ｃｍ当りの段数が１００〜２４０のものが使用され、より好ましくは、１２５〜２４０のものが使用される。
【００１４】
前記握り部は、波状に段をつけた中芯原紙の表裏二面のダンボール原紙を貼り合せて構成され、段の高さが０．８〜１．５ｍｍで、３０ｃｍ当りの段数が９０〜１００のものを使用するのが好適である。
【００１５】
前記送風本体部の一部には、前記握り部の形状に対応した突出部が設けられ、この突出部に、前記握り部を折り重ねて一体化させるのが好適である。この場合、握り部は、長さ方向の中央で折り曲げるのが好適であり、折り重ねた部分が、前記握り部の形状と一致するのが更に好適である。
【００１６】
前記握り部は、本体部と基端部と漸増部とに区分され、前記漸増部は、前記基端部から前記本体部に向けて幅方向に広がりつつ長さ方向に延設されているのが好適である。ここで、漸増部の形状は、直線的な輪郭線となるものでも良いが、曲線的な輪郭線とするのが好適である。この場合、前記漸増部の輪郭線は、滑らかな凹曲線であり、その始点の接線は、前記握り部の長さ方向に対して３０度未満に設定されていると更に好適である。ここで凹曲線とは、団扇の握り部に向けて内向きに膨らむ曲線を意味し、好適には円弧形状が採用される。
【００１７】
【発明の実施の形態】
以下、実施例に基づいて本発明の実施の形態を詳細に説明する。図１は、本発明の第１実施例に係るダンボール団扇１Ａを示す平面図である。このダンボール団扇１Ａは、全ての部分がダンボール紙で形成されており、送風本体部２と握り部３とが接着によって一体化されて構成されている。
【００１８】
送風本体部２は、ダンボール紙をウェーブ刃でトムソン抜き加工して一体成型されるが、詳細には、図２に示すように、反転壷形状の本体部４と矩形基端部６と漸増部５とに区分され、漸増部５は、矩形基端部６から本体部４に向けて、円弧状に幅方向に広がりつつ長さ方向に延設されている。また、反転壷形状の本体部４は、漸増部５の滑らかな輪郭曲線に連続して、先端方向に向けて広がる形状となっている。
【００１９】
送風本体部２は、ウェーブ刃を使用して切断されるので、その切断線は、細かな波型形状となり、団扇を強く振った際に、その縁が顔に勢いよく当っても怪我をするおそれがない。すなわち、送風本体部２の切断線が真直ぐな直線又は曲線で形成されている場合には、団扇の縁が刃物のように作用して顔や手を傷つけるおそれがあるが、本実施例では、そのような事態が発生しない。
【００２０】
送風本体部２として、この実施例では、いわゆる両面ダンボールを使用しており、図３に示すように、送風本体部２は、波状に段をつけた中芯原紙８の両面に、表裏二枚のダンボール原紙（ライナー）９，１０を貼り合せて構成されている。
【００２１】
一般にダンボールは、中芯原紙８の波の大きさによって区分されており、段の高さが約４．５〜５．０ｍｍで３０ｃｍ当りの段数が約３４のＡ段（Ａフルート）と、段の高さが約２．５〜３．０ｍｍで３０ｃｍ当りの段数が約４８のＢ段（Ｂフルート）と、段の高さが約３．５〜４．０ｍｍで３０ｃｍ当りの段数が約４０のＣ段（Ｃフルート）と、段の高さが約１．０ｍｍで３０ｃｍ当りの段数が約９０〜１００のＥ段（Ｅフルート）とが一般的である。
【００２２】
しかし、団扇の送風本体部２として、適度なしなりを実現する上では、上記したＡ段〜Ｅ段は不適であり、数多くの実験の結果、段の高さが０．４〜０．９ｍｍ程度で、３０ｃｍ当りの段数が１００〜２４０程度のマクロフルート（Ｆフルート、Ｇフルート）が好ましいことが確認された。より好ましくは、段の高さが０．４〜０．７５ｍｍ程度で、３０ｃｍ当りの段数が１２５〜２４０程度である。
【００２３】
また、段のピッチＰは、１．４〜２．４ｍｍ程度であることが好適であることも確認したが、特に好ましいのは、本実施例のように、段の高さが０．５〜０．７ｍｍ程度、３０ｃｍ当りの段数が１５０〜１８０程度、ピッチが１．５〜２．２ｍｍ程度の中芯原紙８である。この実施例では、このようなＧ段（Ｇフルート）の中芯原紙８に表裏のダンボール原紙９，１０を貼り合わせて構成されており、全体として０．８〜１．０ｍｍ程度の厚さＴとなっている。
【００２４】
本実施例の場合、表裏のダンボール原紙９，１０は、バージンパルプを使用したものか、或いは、再生紙の含有比率の低い高品質のものが選択される。そのため、表裏のダンボール原紙９，１０は、再生紙の含有比率の高いものに比べ、美観的にも強度的にも優れたものとなっている。なお、再生紙を含有させる場合には、再生紙としてダンボール古紙が使用される。また、華やかな団扇を実現する上では、カラーライナーやグラビヤ印刷ライナーと称されるものを使用するのが好適であり、風流な団扇を実現する上では、ふすま紙や雲龍紙と称されるものを使用するのが好適である。何れにしても、表裏のダンボール原紙９，１０は、１ｍ２当り１００〜２００ｇ程度の重量のものが選択される。
【００２５】
一方、中芯原紙８は、表裏のダンボール原紙９，１０のような美観上の配慮が不要であるので、１００％再生紙のものか、或いは再生紙の含有比率の高いものが選択される。なお、再生紙としては、価格的な観点から新聞古紙が選択される。そして、中芯原紙８は、１ｍ２当り８０〜１２５ｇ程度の重量のものが好適に選択される。
【００２６】
以上のような材料からなる送風本体部２は、中芯原紙８の波頭Ｈの延設方向が、矩形部６の長さ方向と一致するように配置されている（図２、図３参照）。そのため、団扇を扇いだ場合には、送風本体部４のしなり動作の基点列（基線）が、波頭Ｈの延設方向と直交することになり、上記した最適な材料選択とあいまって、適度な強度を持った最適なしなり動作を実現することが可能になる。
【００２７】
次に、図４に基づいて握り部３について説明する。握り部３もまた、ダンボール紙をウェーブ刃でトムソン抜き加工して一体成型されるが、より詳細には、図４（ａ）に示すように、棒状本体部１１と漸増部１２と略半円部１３とで構成されている。
【００２８】
図示の通り、漸増部１２は、棒状本体部１１から幅方向に広がりつつ長さ方向に延設されており、略半円部１３は、漸増部１２に連続して釣鐘状に形成されている。なお、棒状本体部１１は、送風本体部２の矩形基体部６と同一幅に形成され、漸増部１２は、送風本体部２の漸増部５と同一形状に形成されている。また、握り部３の棒状本体部１１には、長さ方向の中央に折曲部１１ａが設けられており、これを折り返して送風本体部２に接着させるようになっている。
【００２９】
握り部３も、送風本体部２と同様、図３に示す構造の両面ダンボールからなり、波状に段をつけた中芯原紙８の両面に、表裏二枚のダンボール原紙９，１０を貼り合せて構成されている。但し、握り部３の場合には、送風本体部２とは異なり、段の高さが約１．０ｍｍで、３０ｃｍ当りの段数が約９０〜１００のＥ段（Ｅフルート）が好適に選択される。この実施例では、段の高さが１．２ｍｍで３０ｃｍ当りの段数が約９２のダンボール紙であり、ピッチＰが３．２５ｍｍのものが使用されている。
【００３０】
また、握り部３の場合には、図４（ｂ）に示すように、中芯原紙８の波頭Ｈの延設方向が、棒状本体部１１の長さ方向と４５度前後ずれるように配置されている。そのため、棒状本体部１１を折曲部１１ａで折り曲げた状態では（図４（ｃ）参照）、重複した表裏の棒状本体部１１の、波頭Ｈの延設方向がＸ字状に重なることになり、その分だけ強度が増加することになる。
【００３１】
なお、握り部３のダンボール原紙９，１０は、送風本体部２の場合と同様、バージンパルプを使用したものか、或いは、再生紙の含有比率の低い高品質のものが選択される。但し、握り部３の場合には、表面に着色すると共に、強化被膜を設けることによって強度をより高める構成を採っても良い。
【００３２】
ところで、本実施例の場合、棒状本体部１１は、人間の手の大きさに対応して、無理なく握れる最大幅に設定されている。具体的には、２０〜３０ｃｍ程度の横幅であり、より好ましくは２５ｃｍ程度の横幅が選択される。そのため、棒状本体部１１に連続して横幅が円弧状に広がる漸増部１２は、必然的に、これを握るにはやや無理な横幅となる。
【００３３】
具体的には、漸増部１２の輪郭曲線は、その始点の接線角度θ１が３０度未満、終点の接線角度θ２が３０度以上に設定されている。より好ましくは、始点の接線角度θ１が１５度未満、終点の接線角度θ２が４０〜５０度程度に設定される。なお、角度θ１，θ２は、全て棒状本体部１１の長さ方向との角度を意味している（図４（ｄ））。
【００３４】
一方、完成状態の団扇において、折り返し状態の棒状本体部１１は、これを握るには、やや不足する長さに設定されている。具体的には、４０〜８５ｃｍ程度の長さに設定され、より好ましくは、６０〜８５ｃｍ程度、更に好ましくは、６５〜７５ｃｍ程度の長さに設定される。
【００３５】
本実施例のダンボール団扇は、上記のような長さ寸法に設定されているため、使用時には、棒状本体部１１のみを握ることの不安定性から、自然に図５のような握り方となり、要するに、親指の側面で略半円部１３を押す状態となる。そのため、扇ぎ動作を実現する力の作用点は、棒状本体部１１や漸増部１２ではなく、略半円部１３となり、その結果、長期間の使用によっても握り部２が折れてしまうような弊害が防止される。
【００３６】
以上、本発明の第一実施例について説明したが、団扇の具体的形状は、各種の変更が可能である。例えば、図６及び図７は第２実施例に係るダンボール団扇１Ｂを図示したものであり、握り部３の形状が異なる場合を例示している。
【００３７】
すなわち、このダンボール団扇１Ｂは、ダンボール団扇１Ａに比較して、漸増部１２が長く形成される分だけ、略半円部１３が短く形成されている。そのため、漸増部１２の輪郭線は、その始点の接線角度θ１は、第１実施例と同様３０度未満であるが、終点の接線角度θ２が４５度以上に設定されている。第２実施例の場合、より好ましくは、始点の接線角度θ１が１５度未満、終点の接線角度θ２が５０〜６０度程度に設定される。何れにしても、この実施例の場合には、漸増部１２が、棒状本体部１１の長さ方向に長く形成されている分だけ、握り部３の強度が増す利点がある。
【００３８】
また、握り部３は、必ずしも突出形状である必要はない。例えば、図８に示すように、矩形基端部６や漸増部５の存在しない略矩形状の送風本体部２と、送風本体部２の一部に重複して貼り合わされる握り部３からなるダンボール団扇１Ｃも好適である。
【００３９】
この第３実施例のダンボール団扇１Ｃも、送風本体部２は第１実施例と同様の材料が選択されるが、握り部３については、特に限定がなく、適宜なダンボール紙が使用される。但し、握り部３の操作方法は、前記の各実施例とほぼ同様であり、親指の側面が握り部３に当接するように操作される。
【００４０】
【発明の効果】
以上説明したように、本発明によれば、強度的に問題がなく、廃棄処分が容易で環境を破壊することのない団扇を実現できる。
【図面の簡単な説明】
【図１】第１実施例に係るダンボール団扇を示す正面図である。
【図２】図１のダンボール団扇の送風本体部を示す正面図である。
【図３】ダンボール紙の構造を説明する斜視図である。
【図４】握り部を説明する正面図である。
【図５】図１のダンボール団扇の使用状態を説明する図面である。
【図６】第２実施例に係るダンボール団扇を示す正面図である。
【図７】図６のダンボール団扇の握り部を示す正面図である。
【図８】第２実施例に係るダンボール団扇を示す正面図である。
【符号の説明】
２    送風本体部
３    握り部
１    団扇
【図１】
2004321349.tif 000003
【図２】
2004321349.tif 000004
【図３】
2004321349.tif 000005
【図４】
2004321349.tif 000006
【図５】
2004321349.tif 000007
【図６】
2004321349.tif 000008
【図７】
2004321349.tif 000009
【図８】
2004321349.tif 000010